(57)【要約】【課題】  ボール紙等からなる紙容器の開封等の目的で切取帯の両方向から途切れることなく切り裂くことができる切れ目による切取帯を提供する。【解決手段】  多数の切れ目が継続する二本の切目列１をお互いが逆向きで平行に並べるものであって、その切目列１の各引裂切目２は、基本切目部３の一端より内側に向けて傾斜する内向傾斜切目部４を連接し、その内向傾斜切目部４の先端には内向傾斜切目部４の先端が突き当たる切れ目で内向きを短くして外向きを長めとした突当り切目部５を連接し、突当り切目部５の外向きとなる先端６が基本切目部３の他端７の下となる内側に位置するものとして引裂切目２を配列したものである。他の引裂切目２としては、引裂切目２の基本切目部３の基端７より内側に向けた短い切れ目となる内向短筋１５を連接することや内向傾斜切目部４を外向傾斜切目部１８とすることも考えられる。【選択図】  図１
0003123702.tif 000002
【実用新案登録請求の範囲】
【請求項１】
多数の切目が継続する二本の切目列を並行に設けて切取り手段とした引裂切目において、その切目列の各引裂切目は、基本切目部の一端より二本の切目列の内側に向けて傾斜する内向傾斜切目部を連接し、その内向傾斜切目部の先端には内向傾斜切目部の先端が突き当たる切目で内向きを短くして外向きを長めとした突当り切目部を連接して引裂切目を形成し、その二本の引裂切目による切目列を平行状態の上下に対向させてそのお互いが逆方向に向けて設けたものとし、その二本の引裂切目の切目列に挟まる部分を切取帯として形成したことを特徴とする紙容器の切取帯。
【請求項２】
引裂切目を基本切目部の基端より二本の切目列の内側に向けた短い切れ目となる内向短筋を連接した短筋付き引裂切目としたことを特徴とする請求項１記載の紙容器の切取帯。
【請求項３】
引裂切目を基本切目部の一端より二本の切目列の内側に向けて傾斜する内向傾斜切目部を、容器側に残る切残り部となる外側に向けることで上下を反対として設けた外向傾斜切目部としたことを特徴とする請求項１及び請求項２記載の紙容器の切取帯。
【考案の詳細な説明】
【技術分野】
【０００１】
この考案は、ボール紙等からなる紙容器の開封等の目的で、切れ目の列を引裂く手段として使用される紙容器の切取帯に関するものである。
【背景技術】
【０００２】
従来の薬箱や菓子箱等の紙箱などに切れ目を設けた開口部の開封手段としては、ジッパと呼ばれる切取帯が設けられていて、図４に示すように、二本の切れ目の列が平行に設けていて、各切れ目は切れ目の一端より内側に向けて傾斜した内向傾斜切目を連接した切れ目の列による切取帯を設けているものがあった。
【０００３】
また、図５に示すように、切れ目の列が二本平行に設けられた各切れ目は、その切れ目の一端より外側に向けた外向きの外向切目を連接し、その外向切目の基端からやや離して内向きの内向切目を設けたＹ字状とし、対向する切目列の切目を互いに反対方向に向けた特開２００４−１８０８３もあった。
【特許文献１】特開２００４−１８０８３公報
【考案の開示】
【考案が解決しようとする課題】
【０００４】
従来の切れ目の一端より内側に傾斜して向けた内向傾斜切目を連接したものは、、逆方向から引き裂こうとすると切れ目と切れ目との間で切断が起きて連続した切取帯による開封が出来難くなり、両方向から引き裂くことが出来ないものでもあった。
【０００５】
また、特許文献１の切れ目の一端より外側に向けた外向きの外向切目とその外向切目の基端からやや離して内向きの内向切目を設けたＹ字状としたことによって切取帯を形成したものは、外向切目が切取帯より外側の切残りの部分に向けて突出しているため、次ぎに繋がる切れ目の個所への繋がりが外側に流れることから紙剥けや切残りの部分が大きくなって切り口が汚くなるものであった。
【課題を解決するための手段】
【０００６】
本考案に係わる紙容器の開封等の目的による切れ目は、多数の切れ目が継続する二本の切目列１を平行に並べるものであって、その切目列１の各引裂切目２は、基本切目部３の一端より内側に向けて傾斜する内向傾斜切目部４を連接し、その内向傾斜切目部４の先端には内向傾斜切目部４の先端が突き当たる切れ目で内向きを短くして外向きを長めとした突当り切目部５を連接し、突当り切目部５の外向きとなる先端６が基本切目部３の他端７の下となる内側に位置するものとして引裂切目２を配列したものである。
【０００７】
そして、その平行状態で上下に対向させた二つの引裂切目２による切目列１をお互いが逆方向に向けた状態にして設け、その二つの引裂切目１の切目列１に挟まる部分を切取帯８とするものである。
【０００８】
また、引裂切目２を基本切目部３の基端７より二本の切目列１の内側に向けた短い切れ目となる内向短筋１５を連接した短筋付き引裂切目１６として引裂切目２を配列することも考えられる。
【０００９】
更に、引裂切目２を基本切目部３の一端より二本の切目列１の内側に向けて傾斜する内向傾斜切目部４を、容器側に残る切残り部１７となる外側に向けて上下が反対となる状態として設けた外向傾斜切目部１８として引裂切目２を配列することも考えられる。
【００１０】
このようにすると、切取帯８の両端部分９，１０から引っ張るときの対向する各切目列１において、端に設けた切込み１１からの裂け目が基本切目部２から突当り切目部５へ、又は突当り切目部５から基本切目部３へと繋がることは、その間隔が狭く外側に向けて裂ける力が内側に多く伝わり、切取帯８の内側において裂け目が繋がることになるので紙剥けがなくて切残り部分１２が小さく、手前の切れ目から次ぎの切れ目へ裂け目が繋がり易くなって途切れることなく切り口を綺麗にして切取帯８を取り外すことが出来るものである。
【考案の効果】
【００１１】
本考案に係わる紙容器の切取帯８を使用するときには、その切取帯８の両端部分９，１０から引っ張って切り裂くことが出来、引っ張る力や速さに左右されずに切り取れるので途切れる事も無く、切り口も綺麗に引裂くことができ商品陳列ケースとしてのディスプレイ効果を高めることができる。
【考案を実施するための最良の形態】
【００１２】
以下、実施例を図面に基づいて説明する。
【実施例１】
【００１３】
本考案に係わる実施の形態の一つとしては、図１に示すように、この切取帯８は多数の引裂切目２による二つの切目列１を平行状態の上下に対向させ、そのお互いを逆方向に向けて設け、その多数の引裂切目２による二つの切目列１に挟まる部分を切取帯８として形成しているものである。
【００１４】
そして、この切目列１を形成する各引裂切目２は、基本切目部３の一端より二本の切目列１の内側に向けて傾斜する内向傾斜切目部４を連接し、その内向傾斜切目部４の先端には内向傾斜切目部４の先端が突き当たる切れ目で内向きを短くして外向きを長めとした突当り切目部５を連接し、突当り切目部５の外向きとなる先端６が基本切目部３の基端７の下となる内側に位置するものとしている。
【００１５】
この切取帯８を切り取るときには、切取帯８の左端部分９を摘んで引っ張ると上段の切目列１では切込み部１１から突当り切目部５の外向きとなる先端６に裂け目が繋がり、内向傾斜切目部４から基本切目部３へと裂け、その基端７から突当り切目部５の外向きとなる先端６へと裂け目が繋がり次ぎから次ぎへと切剥がしができるものである。
【００１６】
上段の切目列１の逆となる下段の切目列１においては、裂け目の繋がりは上段の繋がりと逆となるもので、左端部分９の切込み部１１から基本切目部３の基端７へ裂け目が繋がり、内向傾斜切目部４から突当り切目部５の外向きとなる先端６へと切目列１の端の引裂切目２から次の引裂切目２へと裂け目が繋がり、次ぎから次ぎへと切剥がしができることで切取帯８を切り外すことができるものである。、
【００１７】
具体的な使用例として、図３に示すように、紙容器１２の天部１３に多数の引裂切目２による二つの切目列１を平行状態の上下に対向させて二つの切目列１に挟まる部分を切取帯８として設け、切取帯８を切取って開口部１４としたものが考えられるものである。
【実施例２】
【００１８】
また、他の実施の形態として、図２に示すように、引裂切目２はその基本切目部３の基端７より二本の切目列１の内側に向けた短い切れ目となる内向短筋１５を連接した短筋付き引裂切目１６として変化させたものも考えられる。
【００１９】
この短筋付き引裂切目１６は、基本切目部３の基端７と突当り切目部５との間での裂け目が切取帯８の内側で繋がるようにし、切取帯８の引き剥がしが円滑になるものである。
【実施例３】
【００２０】
更に、図６に示すように、引裂切目２が基本切目部３の一端より二本の切目列１の内側に向けて傾斜する内向傾斜切目部４を、容器側に残る切残り部１７となる外側に向けて上下が反対となる状態として設けた外向傾斜切目部１８として引裂切目２を配列することも考えられる。
【００２１】
この外向傾斜切目部１８による切取帯８を引き剥がしたあとの容器側に残る切跡には尖った所がなく開口縁を綺麗にするもので、この外向傾斜切目部１８による引裂切目２の切目列１を一本だけ使用して容器の一部を切離し、そこに開口部等を形成することに利用することもできるものである。
【００２２】
以上のように二つの切目列１に挟まる部分を切取帯８としているが、ラップフィルムのケースのように紙面の片端を切り取るものとして使用するときには、切目列１を一本だけ設けて切目列１と紙面の片端との間を切取帯８として形成することにも使用することが出来ることは当然考えられるものである。
【図面の簡単な説明】
【００２３】
【図１】本考案の、一つの実施の形態を示す平面図である。
【図２】本考案の、他の実施の形態を示す平面図である。
【図３】本考案の引裂切目の具体的な使用例を示す斜視図である。
【図４】従来例の内向傾斜切目を連接した切れ目の列を示す平面図である。
【図５】従来例のＹ字状切れ目の列を互いに反対方向に向けた列を示す平面図である。
【図６】本考案の、外向傾斜切目部による切取帯を示す平面図である。
【符号の説明】
【００２４】
１  切目列
２  引裂切目
３  基本切目部
４  内向傾斜切目部
５  突当り切目部
６  先端
７  基端
８  切取帯
９，１０  両端部分
１１  切込み部
１２  紙容器
１３  天部
１４  開口部
１５  内向短筋
１６  短筋付き引裂切目
１７  切残り部
１８  外向傾斜切目部
【図１】
0003123702.tif 000003
【図２】
0003123702.tif 000004
【図３】
0003123702.tif 000005
【図４】
0003123702.tif 000006
【図５】
0003123702.tif 000007
【図６】
0003123702.tif 000008